(57)【要約】【課題】  端子の狭ピッチ化をより効果的に達成することによりコネクタの小型化を図る。【解決手段】  ディスクリート線３の末端に装着された端子５をハウジング２０内に複数並べて収納した配線材側コネクタＣ１と、各端子５の相手側端子１２をハウジング１０内に保持した基板側コネクタＣ２とを有し、両ハウジング１０，２０を嵌合させることにより各コネクタＣ１，Ｃ２の端子同士を接触させるコネクタ。配線材側コネクタＣ１に関し、端子５は、インシュレーションバレル３４のクリンプワイドがクリンプハイトよりも大きい扁平状態となるようにディスクリート線に対して装着（圧着）され、隣接する端子５同士がインシュレーションバレル３４のクリンプハイトの方向に並ぶように前記ハウジング２０に対して収納されている。【選択図】      図６
2006012716.tif 000002
【特許請求の範囲】
【請求項１】
ディスクリート線にインシュレーションバレルを圧着することにより当該ディスクリート線の末端に装着した第１端子をハウジング内に複数並べた状態で収納してなる第１コネクタと、前記第１端子に接触可能な第２端子をハウジング内に収納してなる第２コネクタとを有し、前記ハウジング同士の嵌合により各コネクタの端子同士を接触させるコネクタにおいて、
前記インシュレーションバレルのクリンプワイドがクリンプハイトよりも大きい扁平状態となるように前記ディスクリート線に対してインシュレーションバレルが圧着された状態で前記第１端子がディスクリート線に装着され、かつ隣接する端子同士が前記インシュレーションバレルのクリンプハイトの方向に並ぶように前記１コネクタのハウジングに対して各第１端子が収納されていることを特徴とするコネクタ。
【請求項２】
請求項１に記載のコネクタにおいて、
前記インシュレーションバレルのクリンプワイドがクリンプハイトよりも大きい扁平状態で、かつ前記ディスクリート線の線径よりもクリンプハイトが小さくなるようにインシュレーションバレルが該ディスクリート線に対して圧着されていることを特徴とするコネクタ。
【請求項３】
請求項１又は２に記載のコネクタにおいて、
前記第１コネクタのハウジングは、前記第１端子のうち前記ディスクリート線を保持している側が端子配列方向における一方側を向く姿勢、又はこれと反対側を向く姿勢の何れの姿勢でも前記第１端子を収納し得るように構成され、
前記第１端子は、上記何れの姿勢でハウジング内に収納されても第２端子に接触し得るように第２端子に対する接触部分が形成されていることを特徴とするコネクタ。
【請求項４】
請求項３に記載のコネクタにおいて、
前記第１端子はその先端に前記接触部分としてタブ状接触片を有し、
このタブ状接触片は、第１端子を前記ハウジングに収納した状態で端子配列方向と直交する方向に並ぶ互いに平行な一対の単位接触片を有することを特徴とするコネクタ。
【請求項５】
請求項４に記載のコネクタにおいて、
前記タブ状接触片は、前記一対の単位接触片とこれら単位接触片同士をそれらの並び方向に連結する連結部とをもつ断面コ字型に形成され、
前記第１コネクタのハウジングには、第１端子が収納された状態で前記一対の単位接触片の間に介挿されて前記タブ状接触片を各単位接触片の並び方向に拘束する拘束部分を備えていることを特徴とするコネクタ。
【請求項６】
請求項５に記載のコネクタにおいて、
前記拘束部分は、前記タブ状接触片の先端側から前記一対の単位接触片の間に介挿されることにより前記第１端子が上記何れの姿勢で前記第１コネクタのハウジング内に収納されても前記タブ状接触片を各単位接触片の並び方向に拘束し得るように構成されていることを特徴とするコネクタ。
【発明の詳細な説明】
【技術分野】
【０００１】
本発明は、ディスクリート線を回路基板に対して電気的に接続するためのコネクタに関するものである。
【背景技術】
【０００２】
従来から、先端にタブ状の接触片を持つ雄型端子をディスクリート線の末端に装着し、複数の端子収納室を並列に備えた雌型コネクタハウジングの各端子収納室に前記雄型端子を収納することにより雌型コネクタを構成する一方、雌型端子を収納した雄型コネクタハウジングをプリント基板上に実装することにより雄型コネクタを構成し、これらコネクタを互いに結合させることにより前記両端子を介してディスクリート線をプリント基板上の回路に電気的に接続するようにしたコネクタが一般に知られている。
【発明の開示】
【発明が解決しようとする課題】
【０００３】
この種のコネクタにおいて、例えば車載用の各種電気機器では省スペース化の要請からコネクタの小型化がより一層求められている。
【０００４】
そこで、端子配列をより狭ピッチ化すべく端子自体の小型化が従来から進められているが、小型化が進むに伴いディスクリート線の線径との関係で狭ピッチ化が困難なケースが生じている。すなわち、ディスクリート線に装着される端子（雄型端子の場合）は、例えば、図１３に示すようにタブ状の接触片５１の後方に一対のワイヤーバレル５２と一対のインシュレーションバレル５４とが並べて設けられ、ワイヤーバレル５２がディスクリート線先端に露出した導体部分５０ａに、インシュレーションバレル５４がその後方の被覆部分にそれぞれ圧着される（加締める）ように構成されているが、ここで、インシュレーションバレル５４はディスクリート線５０に作用する引張力の一部を負担し得る程度にディスクリート線５０をその被覆の外側から抱え込むように圧着されるため、図１４に示すように、その圧着成形幅（クリンプワイドｗ）はディスクリート線５０の線径よりもさらに大きなものとなる。従って、端子自体を小型化しても、結局このクリンプワイドｗの制約を受けることとなり狭ピッチ化を進めることが困難なケースが生じている。
【０００５】
なお、圧着成形幅（クリンプワイドｗ）が小さくなるようにインシュレーションバレル５４を圧着することも考えられるが、この場合にはディスクリート線５０が圧着成形高さ（クリンプハイトｈ）方向に変形してインシュレーションバレル５４が開き易くなるため、ディスクリート線５０に対してインシュレーションバレル５４を適切に圧着することが難しくなるという弊害がある。
【０００６】
本発明は上記の事情に鑑みてなされたものであって、上記のような端子配列の狭ピッチ化をより効果的に達成することによりコネクタの小型化を図ることを目的としている。
【課題を解決するための手段】
【０００７】
上記のような課題を解決するために、本発明の請求項１に係るコネクタは、ディスクリート線にインシュレーションバレルを圧着することにより当該ディスクリート線の末端に装着した第１端子をハウジング内に複数並べた状態で収納してなる第１コネクタと、前記第１端子に接触可能な第２端子をハウジング内に収納してなる第２コネクタとを有し、前記ハウジング同士の嵌合により各コネクタの端子同士を接触させるコネクタにおいて、前記インシュレーションバレルのクリンプワイド（圧着成型幅）がクリンプハイト（圧着成型高さ）よりも大きい扁平状態となるように前記ディスクリート線に対してインシュレーションバレルが圧着された状態で前記第１端子がディスクリート線に装着され、かつ隣接する端子同士が前記インシュレーションバレルのクリンプハイトの方向に並ぶように前記１コネクタのハウジングに対して各第１端子が収納されているものである。
【０００８】
このコネクタによると、ディスクリート線を保持する第１コネクタについて、上記のようにインシュレーションバレルのクリンプハイトの方向に第１端子を並べた状態で該第１端子をハウジング内に収納しているので、端子間ピッチの設定に際して従来のようにインシュレーションバレルのクリンプワイドによる制約を受けることが無く、しかもクリンプワイドがクリンプハイトよりも大きい扁平状態となるようにインシュレーションバレルがディスクリート線に対して圧着されているので、同圧着部分の端子配列方向の占有スペースが縮小される。従って、効果的に端子配列の狭ピッチ化を図ることができる。その上、クリンプワイドがクリンプハイトよりも大きい扁平状態となるようにインシュレーションバレルをディスクリート線に対して圧着するので、ディスクリート線に対するインシュレーションバレルの圧着も適切に行うことができる。
【０００９】
なお、上記第１コネクタについては、前記インシュレーションバレルのクリンプワイドがクリンプハイトよりも大きい扁平状態で、かつ前記ディスクリート線の線径よりもクリンプハイトが小さくなるようにインシュレーションバレルが該ディスクリート線に対して圧着されているのが好ましい（請求項２）。
【００１０】
この構成によると、インシュレーションバレルの圧着部分がディスクリート線の線径よりも小さい扁平状態となるので、より効果的に狭ピッチ化を図ることができる。
【００１１】
なお、このコネクタにおいて、上記第１コネクタのハウジングは、前記第１端子のうち前記ディスクリート線を保持している側が端子配列方向における一方側を向く姿勢、又はこれと反対側を向く姿勢の何れの姿勢でも前記第１端子を収納し得るように構成され、前記第１端子は、上記何れの姿勢でハウジング内に収納されても第２端子に接触し得るように第２端子に対する接触部分が形成されているのが好ましい（請求項３）。
【００１２】
この構成によると、第１コネクタのハウジングに対する第１端子の収納方向の自由度が向上するため、第１コネクタの組立作業性を向上させる一方で誤作業を有効に防止することができるようになる。
【００１３】
この場合、前記第１端子の先端に前記接触部分としてタブ状接触片を有するものでは、このタブ状接触片は、第１端子を前記ハウジングに収納した状態で端子配列方向と直交する方向に並ぶ互いに平行な一対の単位接触片を有するものであってもよい（請求項４）。
【００１４】
つまり、ハウジングに対する第１端子の挿入姿勢の自由度を上記のように高めると、例えば第１端子に対する第２端子の接触高さ位置がコネクタ中心からずれているような場合には第１端子の収納姿勢によっては第１端子と第２端子との間にギャップが生じて両端子の接触が上手くいかない場合が考えられる。このような場合、上記のように接触片として一対の単位接触片を設けておくことで、何れの姿勢で第１端子がハウジングに収納されても上記ギャップを解消して第１端子を適切に第２端子に接触させることが可能となる。
【００１５】
なお、この場合、前記タブ状接触片は、前記一対の単位接触片とこれら単位接触片同士をそれらの並び方向に連結する連結部とをもつ断面コ字型に形成され、前記第１コネクタのハウジングには、第１端子が収納された状態で前記一対の単位接触片の間に介挿されて前記タブ状接触片を各単位接触片の並び方向に拘束する拘束部分を備えているのが好ましい（請求項５）。
【００１６】
このコネクタによれば、コネクタ接続時のタブ状接触片の浮き上がりを防止することが可能となり、第１端子と第２端子との接触信頼性を高めることが可能となる。
【００１７】
この場合、前記拘束部分は、前記タブ状接触片の先端側から前記一対の単位接触片の間に介挿されることにより前記第１端子が上記何れの姿勢で前記第１コネクタのハウジング内に収納されても前記タブ状接触片を各単位接触片の並び方向に拘束し得るように構成されているのが好ましい（請求項６）。
【００１８】
この構成によれば、第１端子が上記の何れの姿勢でハウジング内に収納された場合でも、コネクタ接続時のタブ状接触片の浮き上がりを確実に防止することが可能となる。
【発明の効果】
【００１９】
本発明の請求項１〜６に係るコネクタによると、ディスクリート線を保持する第１コネクタの端子配列のピッチ設定に関して、従来のようにインシュレーションバレルのクリンプワイドによる制約を受けることが無くなるため、端子配列の狭ピッチ化をより効果的に図ることができる。そして、このように第１コネクタの端子配列の狭ピッチ化を通じてコネクタ全体の前記端子配列方向における小型化を達成することができる。
【発明を実施するための最良の形態】
【００２０】
本発明の実施の形態について図面を用いて説明する。
【００２１】
図１は、本発明に係るコネクタの実施形態を説明する斜視概略図であり、端子等を一部引き出した状態で示している。この図において、Ｃ２は基板側コネクタ（第２コネクタ）で、回路基板Ｐの表面に実装された状態で固定されている。また、Ｃ１は配線材側コネクタ（第１コネクタ）で、前記基板側コネクタＣ２に結合されることによりディスクリート線５を回路基板Ｐに接続するように構成されている。
【００２２】
基板側コネクタＣ２は、配線材側コネクタＣ１の嵌合用凹部１０ａを具備した幅方向に細長のコネクタハウジング１０（以下、ハウジング１０と略す）を有している。
【００２３】
このハウジング１０には、図２および図３に示すように、多数の端子収納室１３が幅方向（図２では左右方向）に並列に、かつ上下２段に形成されている。同図に示すように、上下の端子収納室１３は互いに半ピッチずれた状態で交互に設けられており、これによってハウジング全体として端子収納室１３が千鳥状の配列となっている。
【００２４】
各端子収納室１３には端子１２（第２端子）がそれぞれ収納されている。端子１２は、上下に撓み変位可能な接続用撓み片１４ａとその下側の支持部１４ｂとからなるフォーク状（コ字型）の接続部分をその前側（図３では左端）に有する一方、後側に脚部１４ｃを備えた雌型の端子で、端子収納室１３に対してハウジング１０の後側から差し込まれることにより収納されており、さらに脚部１４ｃが回路基板Ｐの固定用ランドに半田付けされることにより基板上回路（パターン）にそれぞれ電気的に接続されている。なお、上下２段の端子収納室１３のうち上段に収納される端子１２は下段に収納されるものよりも脚部１４ｃが上下に長く形成され、これにより回路基板Ｐへの半田付けが可能となっている。
【００２５】
ハウジング１０の幅方向両端部分には、さらに基板側コネクタＣ２（ハウジング１０）を回路基板Ｐに固定するための固定金具１５Ａ，１５Ｂが挿着されている。
【００２６】
これらの固定金具１５Ａ，１５Ｂは、図１、図２および図４（固定金具１５Ａのみ図示）に示すように脚部１６を有しており、これら脚部１６が回路基板Ｐに半田付けされることにより回路基板Ｐに対してハウジング１０が固定されている。
【００２７】
各固定金具１５Ａ，１５Ｂには、フック１７ａを前端に具備し、かつハウジング１０内でその幅方向に撓み変位可能な係止片１７（図４参照）がそれぞれ一体に形成されており、コネクタ嵌合時にはこの係止片１７が配線材側コネクタＣ１の後記ハウジング２０に係合することによって両コネクタを嵌合状態にロックするように構成されている。つまり、これら固定金具１５Ａ，１５Ｂがコネクタのロック機能を兼ね備えた構成となっている。
【００２８】
なお、固定金具１５Ａ，１５Ｂの各係止片１７は、図２に示すように上下にオフセットされている。これはハウジング１０内に各固定金具１５Ａ，１５Ｂをコンパクトに収めるための工夫であり、これにより後述するように基板側コネクタＣ２の幅方向の省スペース化が達成されている。
【００２９】
一方、配線材側コネクタＣ１は、図１および図５に示すように幅方向に細長のコネクタハウジング２０（以下、ハウジング２０と略す）を有している。このハウジング２０には、複数の端子収納室２２が幅方向に並列に、かつ上下二段に設けられており、ディスクリート線３の先端に装着された端子５（第１端子）が各端子収納室２２に収納されている。
【００３０】
端子収納室２２は、上下のものが幅方向に半ピッチずれた状態で交互に設けられており、これにより基板側コネクタＣ２の前記ハウジング１０と同様にハウジング全体として端子収納室２２が千鳥状の配列となっている。
【００３１】
ハウジング２０の前側、すなわちコネクタ接続方向の前端面には、上下の端子収納室２２の並びに対応して一対の舌片状の端子支持部２４が突設されている。
【００３２】
これらの端子支持部２４は、各端子収納室２２に収納される端子５の後記接触片５ｂを支持するもので、各端子支持部２４の上面側には、図５および図６に示すようにそれぞれ上向きに開き、かつ端子収納室２２内と連通する複数の支持溝２６が幅方向に並設されている。また、各支持溝２６の前端壁２６ａには、端子５の接触片５ｂの浮き上がりを防止するための突起２７が後向き（図６では左向き）に突設されている。
【００３３】
ディスクリート線３は、例えば撚線の外周に被覆（絶縁層）が形成された単線で、上述のようにその先端には端子５が装着されている。
【００３４】
端子５は、図７（ａ）に示すように、ディスクリート線３を保持するための電線保持部５ａとその先端側に設けられるタブ状の接触片５ｂとを備えた雄型端子である。
【００３５】
電線保持部５ａには、端子５の底板３０の両側に立ち上がる一対のワイヤーバレル３２と一対のインシュレーションバレル３４とが前後に並べて設けられている。
【００３６】
接触片５ｂは、前記底板３０に連続して前後方向に延びる連結部３７と、その両側から立ち上がって前記各バレル３２，３４にそれぞれ並ぶ前後方向に細長の互いに平行な一対の単位接触片３６ａ，３６ｂとを備えた断面コ字型の形状に形成されている。また、各単位接触片３６ａ，３６ｂの外側であって、その基端部には端子５を前記ハウジング２０に係止するためのフック３８が一体形成されている。
【００３７】
ディスクリート線３への端子５の装着は、同図に示すようにディスクリート線３の末端部分において被覆が除去されることにより導体３ａが外部露出され、この導体３ａの部分に対してワイヤーバレル３２が、その後側の被覆部分にインシュレーションバレル３４がそれぞれ圧着されることにより行われている。ここで、ワイヤーバレル３２については、導通性能および保持力を確保するためにワイヤーバレル３２の先端が導体３ａに食い込むように強固に圧着されている（加締される）。一方、インシュレーションバレル３４は、その先端同士が向かい合うように被覆部分の外側からディスクリート線３を抱え込ませ、その圧着部分が扁平になるように圧着されている。具体的には、図８（ａ）に示すように、クリンプハイトｈ（圧着成型高さ）よりもクリンプワイドｗ（圧着成型幅）が十分に大きくなり、かつクリンプハイトｈがディスクリート線３の直径ｄ（図８（ｂ）参照）よりも小さくなるようにディスクリート線３に対してインシュレーションバレル３４が圧着されている。これによりディスクリート線３を含む電線保持部５ａの全体が扁平にされている。
【００３８】
そして、このようにディスクリート線３の先端に装着された端子５が各端子収納室２２に収納されている。端子収納室２２への端子５の収納は、図７（ｂ）に示すように端子５を横向き、すなわち図１および図６に示すようにインシュレーションバレル３４のクリンプハイトｈの方向が端子収納室２２の並び方向（幅方向）に向くように端子５を横向きにし、この状態で端子５をハウジング２０の後方から端子収納室２２に挿入することにより行われている。詳細には、端子５を端子収納室２２に挿入しつつその先端（接触片５ｂ）を端子収納室２２から前方に突出させて端子支持部２４の支持溝２６に介挿し、さらに接触片５ｂの先端が支持溝２６の前端壁２６ａに当接する位置まで端子５をハウジング２０に対して差込む。このようにすると、図６（ｂ）に示すように、支持溝２６の前端壁２６ａに形成された突起２７が接触片５ｂの両単位接触片３６ａ，３６ｂの間に挿入されるとともに、各単位接触片３６ａ，３６ｂに形成されたフック３８が端子収納室２２の出口（前方側開口）縁部に係合する。これによって端子５のうち接触片５ｂが外部露出され、かつ突起２７により接触片５ｂの先端が上下方向に拘束された状態で、端子５がディスクリート線３と共にハウジング２０に収納、保持される。
【００３９】
なお、このハウジング２０の端子収納室２２は、ほぼ上下、左右が対称な断面形状となっており、端子５が左右何れの向き、つまり端子５におけるディスクリート線３の保持面側が端子収納室２２（支持溝２６）の並び方向の一方側又は他方側（図９、図１０では左側又は右側）の何れを向いた状態でも端子５を挿着し得るようになっている。また、端子支持部２４も、同図に示すように、端子収納室２２に対して端子５が上記の何れの向きで挿入された場合でも接触片５ｂの上下方向の変位を適切に拘束して、単位接触片３６ａ，３６ｂのうち上側に位置するものの高さ位置を一定に保ち得るように突起２７等が形成されている。つまり、これによって何れの向きで端子５が挿着された場合でも、単位接触片３６ａ，３６ｂの何れか一方に対して相手側の端子１２が確実に接触し得るようになっている。
【００４０】
なお、ハウジング２０の幅方向両端には、図１および図５に示すようにその側面に、基板側コネクタＣ２の前記係止片１７に対応する係止部２８が一体形成されている。
【００４１】
上記のようなコネクタＣ１、Ｃ２の構成において、両コネクタＣ１、Ｃ２を結合させてディスクリート線３を回路基板Ｐに接続するには、図１１（ａ），図１２（ｂ）に示すように、配線材側コネクタＣ１を基板側コネクタＣ２の前記嵌合用凹部１０ａに対向させ、配線材側コネクタＣ１の両端子支持部２４の部分をその先端側から嵌合用凹部１０ａに差し込む。より詳しくは、基板側コネクタＣ２に収納された上下二段の端子１２のうち、上段の端子１２の接続用撓み片１４ａと支持部１４ｂとの間に配線材側コネクタＣ１の上側の端子支持部２４を、同じく下段の端子１２の接続用撓み片１４ａと支持部１４ｂとの間に配線材側コネクタＣ１の下側の端子支持部２４を差し込みながら両コネクタＣ１，Ｃ２のハウジング同士を嵌合させる。このようにすると、ハウジング２０が差し込まれるに伴い基板側コネクタＣ２の前記係止片１７が外側に押し広げられ、両コネクタＣ１，Ｃ２が完全な嵌合状態となると、図１２（ｂ）に示すように係止片１７のフック１７ａがハウジング２０の係止部２８に係合し、その結果、両コネクタＣ１，Ｃ２が嵌合状態にロックされる。そして、このようにコネクタＣ１，Ｃ２が完全な嵌合状態となると、図１１（ｂ）に示すように、各ディスクリート線３に装着された端子５の接触片５ｂに対して相手側端子１２の接続用撓み片１４ａがそれぞれ接触し、正確には単位接触片３６ａ，３６ｂのうち上側に位置する単位接触片３６ａ（又は３６ｂ）に対して相手側端子１２の接続用撓み片１４ａがそれぞれ接触し、この接触により、各ディスクリート線３がそれぞれ対応する相手側端子１２を介して回路基板Ｐの回路に接続されることとなる。
【００４２】
以上のような本発明に係るコネクタの構成によると、配線材側コネクタＣ１に関し、上記のようにインシュレーションバレル３４のクリンプハイトｈがクリンプワイドｗよりも小さい（ディスクリート線３の直径ｄよりも小さい）扁平状態となるように端子５をディスクリート線３に装着し、さらにインシュレーションバレル３４のクリンプハイトｈが端子収納室２２の並び方向に向くように端子５を横向きにした状態でハウジング２０に収納するように構成しているので、換言すればインシュレーションバレル３４のクリンプハイトｈの方向に端子５を並べた状態でハウジング２０に対して該端子５を収納するように配線材側コネクタＣ１を構成しているので、複数の端子をインシュレーションバレルのクリンプワイドの方向に並べて収納する従来のこの種のコネクタと比べると端子配列を効果的に狭ピッチ化することができるという効果がある。
【００４３】
すなわち、従来のコネクタでは、端子のインシュレーションバレルはディスクリート線の断面形状をほぼ維持しつつその被覆外側から抱え込むように圧着されており、そのため端子間ピッチの設定に際してはインシュレーションバレルのクリンプワイド（つまりディスクリート線３の線径）による制約を受けることとなり効果的な狭ピッチ化が難しいが、上記の配線材側コネクタＣ１では、インシュレーションバレル３４のクリンプハイトｈの方向に端子５を並べる構成となっているため端子間ピッチの設定に際してクリンプワイドｗによる制約を受けることがない。しかも、クリンプハイトｈがクリンプワイドｗよりも小さくなる、具体的にはディスクリート線３の線径よりも小さくなる扁平な状態でインシュレーションバレル３４がディスクリート線３に対して圧着されることにより、同圧着部分の端子配列方向の占有スペースが縮小される。従って、効果的に端子配列の狭ピッチ化が達成される。その上、クリンプワイドｗがクリンプハイトｈよりも大きい扁平状態となるようにインシュレーションバレル３４が圧着されているので、ディスクリート線３に対するインシュレーションバレル３４の圧着も適切に行われることとなる。
【００４４】
従って、同じ数のディスクリート線３を保持する場合であれば、従来のこの種のコネクタに比べて端子配列を狭ピッチ化することができるため、その分、配線材側コネクタＣ１および基板側コネクタＣ２を小型化することが可能となる。
【００４５】
また、この配線材側コネクタＣ１では、図９および図１０に示したように、端子５が左右何れの何れの向き、つまり端子５のうちディスクリート線３の保持面側が端子収納室２２（支持溝２６）の並び方向の一方側又は他方側の何れを向いた状態であっても端子５を端子収納室２２に収納でき、また、接触片５ｂの上下方向の変位を適切に拘束して、単位接触片３６ａ，３６ｂのうち上側に位置するもの高さ位置を一定に保ち得るように、つまり端子１２に対して端子５を適切に接触させ得るようにハウジング２０が形成されているので、配線材側コネクタＣ１の組立に際してその作業性を向上させることができるとともに誤作業の発生を効果的に防止することができるという効果もある。
【００４６】
さらに、端子５の接触片５ｂが上記のように一対の単位接触片３６ａ，３６ｂを備えた断面コ字型の形状である点を利用し、端子支持部２４に突起２７を設けてこれを単位接触片３６ａ，３６ｂの間に挿入させることにより接触片５ｂを上下方向に拘束してその浮き上がりを防止するように構成しているで、コネクタ嵌合時には相手側端子１２の接続用撓み片１４ａと支持部１４ｂとの間にスムーズ、かつ確実に接触片５ｂを差し込んで接触片５ｂを接続用撓み片１４ａに接触させることができる。従って、端子同士の接触信頼性を高めることができるという効果もある。
【００４７】
また、基板側コネクタＣ２についても次のような効果がある。すなわち、上記の基板側コネクタＣ２では、固定金具１５Ａ，１５Ｂにそれぞれ係止片１７を設け、これら係止片１７を配線材側コネクタＣ１のハウジング２０に係合させるように構成しているが、当実施形態では、図２に示すように各係止片１７が上下にオフセットされている結果、基板側コネクタＣ２の省スペース化が達成されるという効果がある。詳しく説明すると、基板側コネクタＣ２のハウジング１０では、同図に示すように上段の端子収納室１３の並びが下段の端子収納室１３の並びに対して左側にずれた配列となっており、このずれに応じて、左側の固定金具１５Ａでは下段の端子収納室１３の並びに係止片１７が設けられ、右側の固定金具１５Ｂの係止片１７では上段の端子収納室１３の並びに係止片１７が設けられている。つまり、上記のような端子収納室１３の左右方向のずれにより上段の端子収納室１３の並びではハウジング１０の右方端部に、下段の端子収納室１３の並びではハウジング１０の左方端部にそれぞれデッドスペースができる。そこで、この配線材側コネクタＣ１では、このデッドスペースに係止片１７が位置するように各固定金具１５Ａ，１５Ｂに係止片１７を設けることによって、係止片１７の撓み代を十分に確保しながら両固定金具１５Ａ，１５Ｂをハウジング内にコンパクトに収納し得るようになっている。従って、この点で基板側コネクタＣ２の省スペース化が達成されている。
【００４８】
なお、以上説明した基板側コネクタＣ２および配線材側コネクタＣ１は、本発明に係るコネクタの実施形態の一例であって、その具体的な構成は本発明の要旨を逸脱しない範囲で適宜変更可能である。
【００４９】
例えば、上記の実施形態では、ディスクリート線３を回路基板Ｐに接続する場合のコネクタ構成として本発明を適用しているが、勿論、ディスクリート線同士を接続するコネクタ構成として本発明を適用することもできる。
【００５０】
また、上記の実施形態では、配線材側コネクタＣ１の端子５は、接触片５ｂに一対の単位接触片３６ａ，３６ｂが設けられた構成となっているが、勿論、接触片５ｂの形状はこれ以外の形状であってもよく、要は、端子収納室２２に対して端子５が何れの向きで収納されても接触片５ｂが相手側端子１２に対して適切に接触し得る形状であればよい。
【００５１】
なお、この実施形態において「ディスクリート線」とは、単芯線、撚線、丸線、角線等、あらゆる独立した形態の電線であればよく、また導電性メッキ処理等の有無も問わないものである。
【図面の簡単な説明】
【００５２】
【図１】本発明に係るコネクタを示す斜視図（一部分解図）である。
【図２】基板側コネクタの断面図である。
【図３】基板側コネクタの断面図である（（ａ）は図２のＡ−Ａ線断面図で、（ｂ）は図２のＢ−Ｂ線断面図である）。
【図４】基板側コネクタに挿着される固定金具を示す斜視図である。
【図５】配線材側コネクタのハウジングを示す図である（（ａ）は正面図で、（ｂ）は（ａ）のＣ−Ｃ線断面図である）。
【図６】配線材側コネクタのハウジングとこれに到着される端子（ディスクリート線に装着されたもの）を示した断面図である（（ａ）はハウジングに端子が挿着前、（ｂ）はハウジングに端子が挿着された状態を示している）。
【図７】ディスクリート線とその末端に装着される端子を示す斜視図である（（ａ）は装着前、（ｂ）は装着後の状態である）。
【図８】（ａ）はディスクリート線に装着された端子のうちインシュレーションバレルの圧着部分を示す断面模式図で、（ｂ）は端子装着前のディスクリート線を示す断面模式図である。
【図９】配線材側コネクタにおける端子支持部の縦断面図である。
【図１０】図９の要部拡大図である。
【図１１】基板側コネクタと配線材側コネクタとの接続過程を説明する縦断面図である（（ａ）は接続前の状態、（ｂ）は接続完了状態をそれぞれ示している）。
【図１２】基板側コネクタと配線材側コネクタとの接続過程を説明する平断面図である（（ａ）は接続前の状態、（ｂ）は接続完了状態をそれぞれ示している）。
【図１３】従来の一般的な雄型端子とディスクリート線とをを示す斜視図である。
【図１４】ディスクリート線に装着された端子のうちインシュレーションバレルの圧着部分を示す断面模式図である。
【符号の説明】
【００５３】
Ｃ１  配線材側コネクタ（第１コネクタ）
Ｃ２  基板側コネクタ（第２コネクタ）
Ｐ  回路基板
３  ディスクリート線
５  端子（第１端子）
１０，２０  コネクタハウジング
１２  端子（第２端子）
３４  インシュレーションバレル
【図１】
2006012716.tif 000003
【図２】
2006012716.tif 000004
【図３】
2006012716.tif 000005
【図４】
2006012716.tif 000006
【図５】
2006012716.tif 000007
【図６】
2006012716.tif 000008
【図７】
2006012716.tif 000009
【図８】
2006012716.tif 000010
【図９】
2006012716.tif 000011
【図１０】
2006012716.tif 000012
【図１１】
2006012716.tif 000013
【図１２】
2006012716.tif 000014
【図１３】
2006012716.tif 000015
【図１４】
2006012716.tif 000016